(57)【要約】      （修正有）【課題】左右方向に曲げて配線でき、エレメント部を他のものからの衝突から保護することができる光ファイバケーブルおよび光ファイバケーブルの配線方法を提供する。【解決手段】光ファイバケーブル１は、エレメント部１１、エレメント保護部１２、首部１３を備え、エレメント部１１の幅はエレメント保護部１２の厚さ以下である。【選択図】図２
2016057367.tif 000002
【特許請求の範囲】
【請求項１】
光ファイバ心線、および前記光ファイバ心線を被覆する外被を有し、光ファイバケーブルの長手方向に延びているエレメント部と、
前記エレメント部の幅方向の両側に配置され、光ファイバケーブルの長手方向に延びているエレメント保護部と、
前記エレメント部と前記エレメント保護部とを連結する首部とを備え、
前記エレメント部の幅と前記エレメント保護部の厚さとの関係は、
エレメント部の幅≦エレメント保護部の厚さ
であることを特徴とする光ファイバケーブル。
【請求項２】
前記エレメント部の下面の位置は、前記エレメント保護部の下面の位置よりも高くなっていることを特徴とする請求項１に記載の光ファイバケーブル。
【請求項３】
前記エレメント保護部は、ピンが打ち込まれるピン打ち面を上面に有していることを特徴とする請求項１または２に記載の光ファイバケーブル。
【請求項４】
前記エレメント保護部は、上面に凹部を有し、前記凹部が前記ピン打ち面を有していることを特徴とする請求項３の記載の光ファイバケーブル。
【請求項５】
前記エレメント保護部は、上面における幅方向の前記エレメント部側とは反対側の領域に光ファイバケーブルの長手方向に延びる凸部を有し、上面における幅方向の前記凸部から前記エレメント部側の領域が前記凹部となっており、前記凹部の底面が平坦な前記ピン打ち面であることを特徴とする請求項４に記載の光ファイバケーブル。
【請求項６】
前記エレメント保護部の前記凹部は、光ファイバケーブルの長手方向に延びる溝部であり、前記溝部の内面が前記ピン打ち面となっていることを特徴とする請求項４に記載の光ファイバケーブル。
【請求項７】
前記エレメント保護部は、前記ピン打ち面の真下の領域を除いた領域に、光ファイバケーブルの長手方向に延びる支持線が埋設されていることを特徴とする請求項３から６のいずれか１項に記載の光ファイバケーブル。
【請求項８】
前記エレメント保護部は、前記エレメント部側とは反対側の側面がエレメント部方向へ倒れ込むように傾斜している傾斜面となっていることを特徴とする請求項１から７のいずれか１項に記載の光ファイバケーブル。
【請求項９】
請求項１から８のいずれか１項に記載の光ファイバケーブルの配線方法であって、
光ファイバケーブルを同一平面上において曲げて配線する場合の曲げ部分において、前記首部を切断して両側の前記エレメント保護部を前記エレメント部から切り離す工程と、
前記曲げ部分の内側の前記エレメント保護部を、分断された内側の前記エレメント保護部同士が重ならないように切り欠くことにより、長手方向に分断する工程と、
前記曲げ部分の外側のエレメント保護部を、長手方向に分断する工程とを備えていることを特徴とする光ファイバケーブルの配線方法。
【請求項１０】
上記の光ファイバケーブルの配線方法において、前記光ファイバケーブルをピン打ちにより固定することを特徴とする請求項９に記載の光ファイバケーブルの配線方法。
【発明の詳細な説明】
【技術分野】
【０００１】
本発明は、例えば家屋の壁面への光ファイバケーブルおよび光ファイバケーブルの配線方法に関するものである。
【背景技術】
【０００２】
近年、ＦＴＴＨ（Fiber To The Home）の発展により、ユーザー宅などへの光ファイバケーブルの配線が頻繁に行われるようになってきた。ユーザー宅では、例えば、非特許文献１に開示されているような細径低摩擦インドアケーブルが使用される。この光ファイバケーブルは、室内の壁や通路等の壁面に、直接に配線することが困難なものである。このため、非特許文献１に示されるように、電線管内に設置したり、あるいは電線保護カバー内に設置したりされる。
【０００３】
また、住宅内におけるドア等の隙間に配線する光ファイバケーブルとして、特許文献１に開示されている光ファイバケーブルが知られている。この光ファイバケーブルは、扁平形状に形成され、粘着テープを用いて、ドア枠等に固定することができるようになっている。
【先行技術文献】
【特許文献】
【０００４】
【特許文献１】特許第５３８０５１５号公報
【非特許文献】
【０００５】
【非特許文献１】電子情報通信学会２００９年総合大会講演論文集  Ｂ−１０−２０
【発明の概要】
【発明が解決しようとする課題】
【０００６】
非特許文献１に開示されているような細径低摩擦インドアケーブルは、室内の壁や通路等の壁面に、直接に配線することが困難なものであるため、上記のように、光ファイバケーブル以外に電線管あるいは電線保護カバーが必要となる。このため、コストアップになるとともに、配線状態が嵩張り易くなる。また、電線管あるいは電線保護カバーを別途設置する必要がある分、配線の作業時間が長時間となる。
【０００７】
なお、細径の光ファイバケーブルは、壁面に露出して配線された場合に、物がぶつかることにより破損する恐れがある。また、細径の光ファイバケーブルは、破損した場合、その修復には、コネクタ等の専用の接続部材や光ファイバ心線を口出して切断するための専用の工具が必要となる。このため、専門の施工業者でなければ、破損個所の修復のための配線のやり直しや接続などを容易に行うことができない。
【０００８】
一方、特許文献１の光ファイバケーブルは、粘着テープによって設置面に直接に配線できるものであるから、非特許文献１の光ファイバケーブルが有する上記問題を回避することができる。特許文献１の光ファイバケーブルは、内部に光ファイバ心線を有するエレメント部が、エレメント部の左右両側のエレメント保護部と首部によって接続されている構成である。
【０００９】
しかしながら、特許文献１の光ファイバケーブルでは、光ファイバケーブルを、同一平面上において所望の角度に曲げて（左右方向に所望の角度に曲げて）配線することができない。また、仮にこのような配線ができたとしても、エレメント部を他のものの衝突から保護することができない。
【００１０】
すなわち、光ファイバケーブルを左右方向に所望の角度に曲げて配線する場合には、エレメント部から首部を分断し、エレメント部の左右両側のエレメント保護部を分断し、光ファイバケーブルの曲げ部分において、エレメント部を幅方向の外側の面を配線面側にして幅方向が配線面と交わる方向に立ち上がった状態とする必要がある。この場合、エレメント部の幅とエレメント保護部の厚さとの関係によっては、エレメント部がエレメント保護部よりも上方（配線面に対して垂直な方向）に突出することになる。このような場合には、エレメント部を他のものの衝突から保護することができない。
【００１１】
上記のような問題に対し、特許文献１には、エレメント部を他のものの衝突から保護するための、エレメント部とエレメント保護部との関係について検討されていない。
【００１２】
したがって、本発明は、光ファイバケーブルを、同一平面上において所望の角度に曲げて配線することができ、かつそのように配線した場合に、エレメント部を他のもの衝突から保護することができる光ファイバケーブルおよび光ファイバケーブルの配線方法の提供を目的としている。
【課題を解決するための手段】
【００１３】
上記の課題を解決するために、本発明の光ファイバケーブルは、光ファイバ心線、および前記光ファイバ心線を被覆する外被を有し、光ファイバケーブルの長手方向に延びているエレメント部と、前記エレメント部の幅方向の両側に配置され、光ファイバケーブルの長手方向に延びているエレメント保護部と、前記エレメント部と前記エレメント保護部とを連結する首部とを備え、前記エレメント部の幅と前記エレメント保護部の厚さとの関係は、エレメント部の幅≦エレメント保護部の厚さであることを特徴としている。
【００１４】
上記の構成によれば、エレメント部から首部を分断し、エレメント部の左右両側のエレメント保護部を分断することにより、光ファイバケーブルを、同一平面上において所望の角度に曲げて、すなわち左右方向に所望の角度に曲げて配線することができる。この場合、光ファイバケーブルの曲げ部分において、エレメント部を幅方向の外側の面を配線面側にして幅方向が配線面と交わる方向に立ち上がった状態とする。ここで、エレメント部の幅とエレメント保護部の厚さとの関係は、エレメント部の幅≦エレメント保護部の厚さとなっているので、エレメント部の高さは、エレメント保護部の高さ以下となる。これにより、上記曲げ部分およびその周辺部に他のものが衝突した場合に、エレメント部をエレメント保護部によって保護することができる。
【００１５】
上記の光ファイバケーブルにおいて、前記エレメント部の下面の位置は、前記エレメント保護部の下面の位置よりも高くなっている構成としてもよい。
【００１６】
上記の構成によれば、エレメント部の下面の位置は、エレメント保護部の下面の位置よりも高くなっている。したがって、光ファイバケーブルを例えば壁面（配線面）に配線した場合に、エレメント部の下面と壁面との間に隙間が生じる。これにより、光ファイバケーブルの曲げ部分において、エレメント部を幅方向の外側の面を壁面側にして幅方向が壁面と交わる方向に立ち上がった状態とする場合に、この作業を容易に行うことができる。
【００１７】
上記の光ファイバケーブルにおいて、前記エレメント保護部は、ピンが打ち込まれるピン打ち面を上面に有している構成としてもよい。
【００１８】
上記の構成によれば、光ファイバケーブルは、ピン打ち面に打ちこまれるピンにより堅牢に固定することができるので、安定した配線状態を維持することができる。さらに、壁面が壁紙であっても、光ファイバケーブルの撤去に際して壁紙を破損する恐れがない。
【００１９】
上記の光ファイバケーブルにおいて、前記エレメント保護部は、上面に凹部を有し、前記凹部が前記ピン打ち面を有している構成としてもよい。
【００２０】
上記の構成によれば、エレメント保護部は、ピン打ち面を有する凹部を上面に有しているので、作業者は、光ファイバケーブルを例えば宅内の壁面に配線する場合に、例えばピン打ち用工具を使用し、ピン打ちにより光ファイバケーブルを容易に固定することができる。
【００２１】
すなわち、作業者は、ピン打ちの際に、エレメント保護部の凹部に向ってピンを打ち込めばよく、ピン打ちを打ちこむ位置を明確に認識しながら作業を行うことができる。これにより、ピンを所定のピン打ち位置すなわち凹部から外すことなく、また誤ってエレメント部にピンを打ち込んで光ファイバ心線を損傷するといったことがなく、ピン打ち作業を容易かつ適切に行うことができる。
【００２２】
上記の光ファイバケーブルにおいて、前記エレメント保護部は、上面における幅方向の前記エレメント部側とは反対側の領域に光ファイバケーブルの長手方向に延びる凸部を有し、上面における幅方向の前記凸部から前記エレメント部側の領域が前記凹部となっており、前記凹部の底面が平坦な前記ピン打ち面である構成としてもよい。
【００２３】
上記の構成によれば、エレメント保護部は、上面における幅方向のエレメント部側とは反対側の領域に光ファイバケーブルの長手方向に延びる凸部を有している。また、エレメント保護部は、上面における幅方向の凸部からエレメント部側の領域が凹部となっており、凹部の底面は平坦なピン打ち面となっている。
【００２４】
したがって、作業者は、凸部を案内部として、ピン打ち面すなわち平坦面である凹部の底面にピン打ちを行うことができる。例えば、凸部を案内部としてピン打ち用工具を配置し、ピン打ち面にピン打ちを行うことができる。これにより、さらにピン打ち作業を容易かつ適切に行うことができる。
【００２５】
上記の光ファイバケーブルにおいて、前記エレメント保護部の前記凹部は、光ファイバケーブルの長手方向に延びる溝部であり、前記溝部の内面が前記ピン打ち面となっている構成としてもよい。
【００２６】
上記の構成によれば、エレメント保護部のピンが打ちこまれる凹部は、内面がピン打ち面となっており、光ファイバケーブルの長手方向に延びる溝部である。したがって、作業者は、溝部を確認しながら容易にピン打ちを行うことができる。これにより、さらにピン打ち作業を容易かつ適切に行うことができる。
【００２７】
上記の光ファイバケーブルにおいて、前記エレメント保護部は、前記ピン打ち面の真下の領域を除いた領域に、光ファイバケーブルの長手方向に延びる支持線が埋設されている構成としてもよい。
【００２８】
上記の構成によれば、エレメント保護部は、ピン打ち面の真下の領域を除いた領域に、光ファイバケーブルの長手方向に延びる支持線が埋設されているので、光ファイバケーブルを固定するためのピン打ちが支持線によって妨害されることがない。
【００２９】
なお、支持線を鋼線とした場合には、光ファイバケーブルを配線する場合に、エレメント保護部すなわち光ファイバケーブルを容易に直線状態に配置することができる。
【００３０】
上記の光ファイバケーブルにおいて、前記エレメント保護部は、前記エレメント部側とは反対側の側面がエレメント部方向へ倒れ込むように傾斜している傾斜面となっている構成としてもよい。
【００３１】
上記の構成によれば、光ファイバケーブルは、物が引っ掛かったり、物が衝突したりし難くなっている。さらに、例えば宅内の壁面に配線した場合にも目立ち難くなっている。
【００３２】
本発明の光ファイバケーブルの配線方法は、上記のいずれかの光ファイバケーブルの配線方法であって、光ファイバケーブルを同一平面上において曲げて配線する場合の曲げ部分において、前記首部を切断して両側の前記エレメント保護部を前記エレメント部から切り離す工程と、前記曲げ部分の内側の前記エレメント保護部を、分断された内側の前記エレメント保護部同士が重ならないように切り欠くことにより、長手方向に分断する工程と、前記曲げ部分の外側のエレメント保護部を、長手方向に分断する工程とを備えていることを特徴としている。
【００３３】
上記の構成によれば、光ファイバケーブルを同一平面上において所望の角度に曲げて固定する場合において、分断された曲げ部分の内側のエレメント保護部同士が重なって嵩張るといったことがなく、光ファイバケーブルの作業を容易に行うことができる。
【００３４】
上記の光ファイバケーブルの配線方法は、前記光ファイバケーブルをピン打ちにより固定する構成としてもよい。
【００３５】
上記の構成によれば、光ファイバケーブルは、ピンにより堅牢に固定されるので、安定した配線状態を維持することができる。さらに、壁面が壁紙であっても、光ファイバケーブルの撤去に際して壁紙を破損する恐れがない。
【発明の効果】
【００３６】
本発明の構成によれば、光ファイバケーブルを、同一平面上において所望の角度に曲げて配線することができ、かつそのように配線した場合に、エレメント部を他のもの衝突から保護することができる。
【図面の簡単な説明】
【００３７】
【図１】本発明の実施の形態の光ファイバケーブルの配線方法に使用する光ファイバケーブルを示す平面図である。
【図２】図１におけるＡ−Ａ線矢視断面図である。
【図３】図２に示した光ファイバケーブルにおける各部の寸法関係の説明図である。
【図４】図１に示した光ファイバケーブルをピンにより例えば宅内の壁面に固定した状態を示す平面図である。
【図５】図４におけるＢ−Ｂ線矢視断面図である。
【図６】図６の（ａ）は、図１に示した光ファイバケーブルを９０°曲げて配線する場合において、光ファイバケーブルの首部に切り込みを入れる工程を示す平面図、図６の（ｂ）は、図１に示した光ファイバケーブルの曲げの内側のエレメント保護部を切り欠き、曲げの外側のエレメント保護部を切断する工程を示す平面図、図６の（ｃ）は、図１に示した光ファイバケーブルを９０°曲げて固定する工程を示す平面図、図６の（ｄ）は、図６の（ｃ）におけるＥ−Ｅ線矢視断面図である。
【図７】図１に示した光ファイバケーブルをステープルより壁面に固定した状を示す縦断面図である。
【図８】図１に示した光ファイバケーブルの他の例に係る光ファイバケーブルの構成を示す縦断面図である。
【図９】図１に示した光ファイバケーブルのさらに他の例に係る光ファイバケーブルの構成を示す縦断面図である。
【発明を実施するための形態】
【００３８】
〔実施の形態１〕
本発明の実施の形態を図面に基づいて以下に説明する。
図１は本発明の実施の形態の光ファイバケーブルの配線方法に使用する光ファイバケーブルを示す平面図、図２は図１におけるＡ−Ａ線矢視断面図である。
【００３９】
図１および図２に示すように、光ファイバケーブル１は、エレメント部１１、２本のエレメント保護部１２および２本の首部１３を備えている。２本のエレメント保護部１２は、エレメント部１１の左右位置に配置され、首部１３によってエレメント部１１と連結されている。各首部１３は、エレメント部１１とエレメント保護部１２とを光ファイバケーブル１の長手方向に連続して連結している。なお、各首部１３は、エレメント部１１とエレメント保護部１２とを、連続的にではなく、間欠的に（不連続に）連結していてもよい。
【００４０】
エレメント部１１は、光ファイバ心線２１、線状の抗張力体２２およびこれら光ファイバ心線２１および抗張力体２２を覆う外被２３を有している。すなわち、エレメント部１１は、外被２３の内部に、光ファイバ心線２１および線状の抗張力体２２が埋設されている。
【００４１】
外被２３の縦断面形状は、例えば横長のほぼ長方形である。光ファイバ心線２１は外被２３の中心部に配置され、抗張力体２２は光ファイバ心線２１の左右位置に配置されている。これら光ファイバ心線２１および抗張力体２２は、互いに平行に左右方向（横方向）に並び、光ファイバケーブル１の長手方向に延びている。
【００４２】
光ファイバ心線２１は、例えば、中心に設けられるガラス光ファイバ、このガラス光ファイバの外周を被覆するファイバ被覆層、およびこのファイバ被覆層を被覆し、最外層を形成する着色層を備えている。
【００４３】
抗張力体２２は、光ファイバケーブル１、特にエレメント部１１の引っ張り力に対する延びを防止し、光ファイバ心線２１を保護するものである。抗張力体２２は、例えばアラミドＦＲＰの他、ガラスＦＲＰや鋼線等の金属線にて形成することができる。なお、抗張力体２２は、エレメント保護部１２を除去し、エレメント部１１を光ローゼットなどの接続箱に引込むことを考慮した場合、アラミドＦＲＰのように、可撓性、耐座屈性に優れた線条体にて形成することが好ましい。抗張力体２２の断面形状は、図２に示した円形の他に、方形や楕円形であってもよい。
【００４４】
外被２３は、ポリエチレン、ポリプロピレンあるいはポリスチレンなどの一般的な熱可塑性樹脂にて形成されている。これらの樹脂は、水酸化マグネシウムなどの難燃剤を配合した難燃樹脂であってよい。なお、エレメント保護部１２および首部１３もエレメント部１１の外被２３と同一の材料にて形成することができる。例えば、エレメント部１１の外被２３、エレメント保護部１２および首部１３は、同一の熱可塑性樹脂にて一体的に成形してもよい。
【００４５】
光ファイバ心線２１の位置に対応した外被２３の上面および下面の位置には、光ファイバ心線２１を取り出すためのノッチ溝２４が形成されている。ノッチ溝２４は、先端が光ファイバ心線２１の方向を向いたＶ字形に形成され、光ファイバケーブル１の長手方向に延びている。光ファイバケーブル１では、ノッチ溝２４が形成されていることにより、ノッチ溝２４の部位から外被２３を剥いで、光ファイバ心線２１を取り出すことが可能となる。
【００４６】
両方のエレメント保護部１２の縦断面形状は、エレメント部１１に対向する辺が下辺（下底）に対して垂直、かつその反対側の辺がエレメント部１１側に傾いた斜辺となっている台形において、上辺（上底）におけるエレメント部１１側の部分を横長の長方形状に切り欠いた形状となっている。したがって、エレメント保護部１２は、上面における外側の端縁部に、光ファイバケーブル１の長手方向に延びる凸部３１を有している。また、エレメント保護部１２は、上面における凸部３１に対するエレメント部１１側の部分に、凸部３１に対して凹んだ状態の平坦面を有している。この平坦面はピン打ち面（凹部）３２となっている。
【００４７】
エレメント保護部１２は、エレメント保護部１２の内部におけるピン打ち面３２の真下の領域を除いた領域に、支持線３３を有している。支持線３３は、エレメント保護部１２に対して、引っ張り力に対する延び防止機能や強度を付与するものである。支持線３３は、例えば鋼、鉄、銅、アルミニウムあるいはアルミニウム合金などの金属材料にて形成することができる。なお、支持線３３は、光ファイバケーブル１を直線状に維持する直線性を考慮した場合、鋼線であることが好ましい。また、支持線３３の形状は、図２に示す円形の他に、方形や楕円形でもあってもよい。
【００４８】
首部１３は、エレメント部１１の下面がエレメント保護部１２の下面よりも上方となる位置にエレメント部１１を支持している。これにより、光ファイバケーブル１を壁面（配線面）に設置した場合、エレメント部１１は壁面に対して浮いた状態となる。
【００４９】
首部１３の厚さは、エレメント部１１の厚さよりも薄くなっている。
【００５０】
次に、光ファイバケーブル１における各部の寸法関係について説明する。図３は、光フイバケーブル１における各部の寸法関係を示す説明図である。
【００５１】
図３において、ａはエレメント部１１の厚さ、ｂはエレメント部１１の幅、ｃはエレメント保護部１２の厚さ、ｄは光ファイバケーブル１の幅（最大幅）である。光ファイバケーブル１において、エレメント保護部１２の厚さｃは、エレメント部１１の厚さａよりも厚くなっている。また、エレメント保護部１２の厚さｃは、エレメント部１１の幅ｂ以上となっている。また、エレメント保護部１２（凸部３１）の上面の位置は、エレメント部１１の上面の位置よりも高くなっている。また、エレメント部１１の下面の位置はエレメント保護部１２の下面の位置よりも高くなっている。
【００５２】
上記の構成において、光ファイバケーブル１の配線方法について以下に説明する。図４は、光ファイバケーブル１をピンにより例えば宅内の壁面に固定した状態を示す平面図である。図５は、図４におけるＢ−Ｂ線矢視断面図である。
【００５３】
図４および図５に示すように、光ファイバケーブル１を例えば宅内の壁面（配線面）４２に固定する場合には、光ファイバケーブル１のピン打ち面３２から壁面に向ってピン４１を打ち込む。ピン打ちは、例えば両方のエレメント保護部１２に対して交互に、ピン打ちの位置がチドリ状となるように、行われる。
【００５４】
ピン打ちは、例えばピン打ち用工具を使用して行うことができる。このピン打ち用工具は、例えば、細長いペン型の形状であり、内部にピン４１を収容し、先端部を光ファイバケーブル１のピン打ち面３２に押し付けて押し込むことによりピン打ちができるものである。このピン打ち用工具としては、例えばマサル工業製「ポン太郎（商品名）」を用いることができる。
【００５５】
次に、光ファイバケーブル１を壁面４２の同一平面上において、例えば９０°曲げて配線する場合の配線方法について説明する。図６の（ａ）は、光ファイバケーブル１を９０°曲げて配線する場合において、光ファイバケーブル１の首部１３に切り込みを入れる工程を示す平面図、図６の（ｂ）は、光ファイバケーブル１の曲げの内側のエレメント保護部１２を切り欠き、曲げの外側のエレメント保護部１２を切断する工程を示す平面図、図６の（ｃ）は、光ファイバケーブル１を９０°曲げて固定する工程を示す平面図、図６の（ｄ）は、図６の（ｃ）におけるＥ−Ｅ線矢視断面図である。
【００５６】
光ファイバケーブル１を壁面４２の同一平面上において、９０°曲げて配線する場合、まず、光ファイバケーブル１の曲げる部分において、エレメント部１１を両側のエレメント保護部１２と切り離す。この場合、作業者は、カッターにより、首部１３の所定長さの範囲において、首部１３を長手方向に切断する。図６の（ａ）では、首部１３の切断範囲Ａを点線にて示している。
【００５７】
次に、図６の（ｂ）に示すように、光ファイバケーブル１の曲げる部分の内側のエレメント保護部１２は、所定範囲を切り欠く。内側のエレメント保護部１２の切欠き範囲Ｂは、光ファイバケーブル１を曲げたときに、内側のエレメント保護部１２同士が重ならないようにする範囲である。また、外側のエレメント保護部１２は、切断位置Ｃから幅方向に切断し、長手方向に分断する。切断位置Ｃは、光ファイバケーブル１を曲げた場合に、円弧状となるエレメント保護部１２の円弧の長さの中心位置（９０°曲げの場合の４５°の位置）に相当する部分とするのが好ましい。
【００５８】
次に、図６の（ｃ）に示すように、光ファイバケーブル１を９０°曲げて、ピン打ちにより固定する。この場合、エレメント部１１は、円弧の長さの中心位置（９０°曲げの場合の４５°の位置）を、図６の（ｄ）に示すように、幅方向の外側の面を壁面（配線面）４２側にして、幅方向が壁面４２と交わる方向に立ち上がった状態とする。なお、図６の（ｃ）および（ｄ）ではエレメント部１１が９０°立ち上がった状態を示している。これは、エレメント部１１が、光ファイバ心線２１の幅方向の両側に抗張力体２２を有しており、曲げ部分において両方の抗張力体の長さに差が生じないようにし、エレメント部１１を容易に曲げられるようにするためである。なお、エレメント部１１の立ち上がり角度は、例えば４５°〜９０°の範囲としてもよい。
【００５９】
上記のように、本実施の形態の光ファイバケーブル１の配線方法では、光ファイバケーブル１を例えば壁面４２の同一平面上において所望の角度に曲げて（例えば９０°曲げて）配線する場合に、次の工程が行われる。
（１）曲げ部分において、首部１３を切断して両方のエレメント保護部１２をエレメント部１１から切り離す工程。
（２）曲げ部分の内側のエレメント保護部１２を、分断されたエレメント保護部１２同士が重ならないように切り欠くことにより、長手方向に分断する工程。
（３）曲げ部分の外側のエレメント保護部１２を、エレメント保護部１２の幅方向に切断することにより、長手方向に分断する工程。
（４）光ファイバケーブル１を曲げた状態でピン打ちにより固定する工程。
【００６０】
これにより、光ファイバケーブル１を同一平面上において所望の角度に曲げて固定する場合の作業を容易に行うことができる。また、光ファイバケーブル１の曲げ部分では、分断された、曲げの内側のエレメント保護部１２同士が重なって嵩張るといったことがない。
【００６１】
また、上記曲げ部分での配線方法では、エレメント部１１は、曲げた場合の円弧の長さの中心位置において、エレメント部１１の幅方向の外側の面を壁面４２側にして、幅方向が壁面４２と交わる方向に立ち上がった状態としている。
【００６２】
これにより、エレメント部１１が、光ファイバ心線２１の幅方向の両側に抗張力体２２を有している構成であっても、曲げ部分において両方の抗張力体２２の長さに差が生じないようにして、エレメント部１１を容易に曲げることができる。
【００６３】
また、エレメント部１１の下面の位置は、エレメント保護部１２の下面の位置よりも高くなっているので、光ファイバケーブル１を壁面４２、あるいは床面や天井面に配線した場合に、エレメント部１１の下面と壁面４２との間に隙間が生じる。
【００６４】
したがって、光ファイバケーブル１を壁面４２に配線する場合（両エレメント保護部１２の下面が壁面４２と接する状態）において、光ファイバケーブル１を壁面４２の角部に沿って曲げる場合、光ファイバ心線２１の曲げ半径は、壁面４２の角部の曲げ半径よりも大きくなる。すなわち、エレメント部１１は、壁面４２に接するケーブル配線面（両エレメント保護部１２の下面）から所定距離だけ空中に離れた状態で支持されているので、上記所定距離分、エレメント部１１の曲げ半径が壁面４２の角部の曲げ半径よりも大きくなる。これにより、光ファイバケーブル１は、壁面４２の角部に沿った曲部分での伝送損失を抑制することができる。
【００６５】
また、光ファイバケーブル１を床面あるいは天井面に配線する場合（両エレメント保護部１２の下面が壁面４２と接する状態）において、光ファイバケーブル１を床面あるいは天井面と交差する壁面４２の角部に沿って曲げる場合、曲げ部分において、エレメント部１１を、エレメント部１１の幅方向の外側の面を壁面４２側にして壁面４２と交わる方向に立ち上がった状態とする。この場合には、エレメント部１１の幅方向の寸法が高さ方向の寸法よりも大きい場合であっても、この作業を容易かつ適切に行うことができる。
【００６６】
また、エレメント保護部１２の厚さｃ（図３参照）は、エレメント部１１の幅ｂ（図３参照）以上となっている。したがって、上記曲げ部分において、立ち上がった状態（幅方向の外側の面を壁面４２側にして壁面４２と交わる方向に立ち上がった状態）としたエレメント部１１の高さは、エレメント保護部１２の高さ以下となる。これにより、上記曲げ部分およびその周辺部に他のものが衝突した場合にも、エレメント部１１は、エレメント保護部１２によって保護される。
【００６７】
また、光ファイバケーブル１のエレメント保護部１２には、ピン打ち面３２の幅方向の外側に凸部３１が形成されている。したがって、作業者は、凸部３１を案内部としてピン打ち面３２にピン打ちを行うことができる。例えば、凸部３１を案内部としてピン打ち用工具を配置し、ピン打ち面３２にピン打ちを行うことができる。したがって、ピン４１をピン打ち面３２から外すことなく、また、誤ってエレメント部１１にピンを打ち込んで光ファイバ心線２１を損傷することなく、ピン打ち作業を容易に行うことができる。
【００６８】
また、エレメント保護部１２の支持線３３は、ピン打ち面３２の真下の領域を除いた領域に埋設されているので、ピン打ち面３２に対するピン打ちが、支持線３３によって妨害されることがない。
【００６９】
また、光ファイバケーブル１は、ピン４１により例えば宅内の壁面に固定されるので、壁面例えば壁紙の材質や形状（凹凸形状）に影響されることなく、確実かつ堅牢に固定することができる。また、経年によって光ファイバケーブル１が壁面から剥がれる事態も生じ難い。
【００７０】
なお、光ファイバケーブル１を取り外す場合には、壁紙の破損が少なく、ピン痕の小さい孔は、コーキング材等で目立たないように補修することができる。
【００７１】
また、光ファイバケーブル１は、配管内や保護カバー内に設置する必要がなく、直接壁面等に配線することができる。したがって、配管内や保護カバー内に設置する場合と比較して、配管や保護カバーによる嵩張りがなく、また目立つことがなく、低コストかつ短い作業時間にて光ファイバケーブル１を配線することができる。
【００７２】
また、エレメント部１１の両側にはエレメント保護部１２が設けられ、エレメント保護部１２の厚さは、エレメント部１１の厚さよりも厚くなっている。したがって、光ファイバケーブル１に他の物が衝突した場合に、エレメント保護部１２、特に凸部３１によってエレメント部１１への他の物の衝突を防止することができる。また、エレメント保護部１２（凸部３１）の上面とエレメント部１１の上面との位置関係により、エレメント部１１に他の物が衝突することがあっても、エレメント部１１は壁面４２の方向へ退行することができるので、他の物の衝突によりエレメント部１１が受ける衝撃は小さくなる。
【００７３】
また、光ファイバケーブル１では、特に、エレメント保護部１２（凸部３１）の上面の位置がエレメント部１１の上面の位置よりも高くなっているので、エレメント部１１への他の物の衝突防止機能はさらに高くなっている。
【００７４】
また、エレメント保護部１２には支持線３３が埋設されており、この支持線３３が例えば鋼線である場合には、光ファイバケーブル１を配線する場合に、容易に直線状に配線することができる。すなわち、光ファイバケーブル１を直線状に配線するために、光ファイバケーブル１の両端に作業員を配置したり、スケール等で光ファイバケーブル１の直線状態を確認しながら光ファイバケーブル１を配線したりといったことが不要となる。
【００７５】
また、光ファイバケーブル１は、両方のエレメント保護部１２の側面が、エレメント部１１方向へ倒れ込むように、内側に傾斜している。これにより、光ファイバケーブル１に対して物が引っ掛かったり、衝突したりし難くなっている。さらに、光ファイバケーブル１を例えば宅内の壁面に配線した場合にも目立ち難くなっている。
【００７６】
ここで、光ファイバケーブル１は、ピン打ちによって固定することが好ましいものの、例えばピン打ちによって固定し難い場所への固定など、より堅牢に固定するためにステープルによって固定されることも考えられる。そこで、実際に光ファイバケーブル１をステープルにて固定し、エレメント部１１についての耐外傷性について検証した。図７は、光ファイバケーブル１をステープル４３より壁面４２に固定した状を示す縦断面図である。
【００７７】
エレメント部１１の上記耐外傷性について検証した結果、図７に示すように、光ファイバケーブル１に打ち込まれたステープル４３は、エレメント保護部１２の上部に食い込むものの、エレメント部１１には外傷が無いことを確認できた。これは、光ファイバケーブル１では、エレメント保護部１２の厚さがエレメント部１１の厚さよりも厚くなっていることによる。
【００７８】
（実施例）
下記の光ファイバケーブル１を作製し、作製した光ファイバケーブル１について、壁面４２への配線施工性を検証した。
【００７９】
エレメント部１１の光ファイバ心線２１には、シングルモード型光ファイバに紫外線硬化樹脂を被覆した外径０．２５ｍｍの光ファイバ心線を用いた。エレメント部１１の抗張力体２２には、直径０．４ｍｍのアラミド繊維を含む繊維強化プラスチック（アラミドＦＲＰ）を用いた。エレメント保護部１２の支持線３３には、直径０．５ｍｍの鋼線を用いた。エレメント部１１の外被２３、エレメント保護部１２および首部１３には、白色難燃ポリエチレンを用いた。
【００８０】
エレメント部１１は、図３に示す、幅ｂを２．０ｍｍ、厚さａを１．６ｍｍとした。光ファイバケーブル１は、幅ｄを８．６ｍｍ、厚さ（エレメント保護部１２の厚さ）ｃを２．０ｍｍとした。
【００８１】
このようにして作製した光ファイバケーブル１をピン打ちによって壁面４２に配線したところ、容易かつ適切にピン打ちが可能であった。これにより、光ファイバケーブル１を容易に配線することができた。
【００８２】
〔実施の形態２〕
本発明の他の実施の形態を図面に基づいて以下に説明する。
図８は本発明の実施の形態の光ファイバケーブルの配線方法に使用できる他の光ファイバケーブル２の構成を示す縦断面図である。光ファイバケーブル２は、光ファイバケーブル１のエレメント保護部１２に代えてエレメント保護部５１を備えている。他の構成は光ファイバケーブル１と同様である。
【００８３】
エレメント保護部５１は、エレメント保護部１２と同様、厚さがエレメント部１１の厚さよりも厚く、かつエレメント保護部５１の上面の位置がエレメント部１１の上面の位置よりも高くなっている。また、エレメント保護部５１の高さは、エレメント部１１の幅以下となっている。
【００８４】
ただし、エレメント保護部５１は、エレメント保護部１２が有するピン打ち面３２に代えて、例えばＶ字形の溝部からなるピン打ち溝部６１を上面に有している。ピン打ち溝部６１の内面、特に底面はピン打ち面となっている。ピン打ち溝部６１は、光ファイバケーブル２の長手方向に延びている。支持線３３は、エレメント保護部１２の内部におけるピン打ち溝部６１の真下の領域を除いた領域に埋設されている。
【００８５】
上記の構成において、光ファイバケーブル２では、例えば壁面４２の同一平面上において、所望の角度に曲げて（例えば９０°曲げて）配線する場合、光ファイバケーブル１と同様にして配線することができる。また、光ファイバケーブル２では、ピン打ちにより光ファイバケーブル２を固定する場合に、作業者は、ピン打ち溝部６１を確認しながら容易にピン打ちを行うことができる。したがって、光ファイバケーブル２では、所望の角度に曲げて配線する場合および直線状に配線する場合において、光ファイバケーブル１と同様の利点を有する。
【００８６】
なお、ピン打ち溝部６１の幅を十分に大きくできない場合、すなわちピン打ち溝部６１の幅および首部１３の幅がいずれも狭くなるような場合、作業者は、目視によってピン打ち溝部６１と首部１３とを区別し難くなる。特に、天井と壁の境目などの光ファイバケーブル２の配線では、作業者が光ファイバケーブル２の間近に近寄ってピン打ち溝部６１を確認することが作業場困難となる。このような場合には、誤って首部１３にピンを打ってしまう可能があるため、光ファイバケーブルのエレメント保護部の構成としては、エレメント保護部５１よりもエレメント保護部１２の方が好ましい。
【００８７】
〔実施の形態３〕
本発明のさらに他の実施の形態を図面に基づいて以下に説明する。
図９は本発明の実施の形態の光ファイバケーブルの配線方法に使用できるさらに他の光ファイバケーブル３の構成を示す縦断面図である。光ファイバケーブル３は、光ファイバケーブル１のエレメント保護部１２に代えてエレメント保護部１０１を備えている。他の構成は光ファイバケーブル１と同様である。
【００８８】
エレメント保護部１０１は、エレメント保護部１２と同様、厚さがエレメント部１１の厚さよりも厚く、かつエレメント保護部１０１の上面の位置がエレメント部１１の上面の位置よりも高くなっている。また、エレメント保護部１０１の高さは、エレメント部１１の幅以下となっている。
【００８９】
ただし、エレメント保護部１０１は、上面にエレメント保護部１２が有する凸部３１、および凸部３１に対して凹状のピン打ち面３２を有していない。すなわち、エレメント保護部１０１は上面全体がピン打ち面となっている。また、エレメント保護部１０１は、上面すなわちピン打ち面の真下の領域以外の領域に支持線３３が埋設されている。
【００９０】
上記の構成において、光ファイバケーブル３では、例えば壁面４２の同一平面上において、所望の角度に曲げて（例えば９０°曲げて）配線する場合、光ファイバケーブル１
と同様にして配線することができる。したがって、光ファイバケーブル２では、所望の角度に曲げて配線する場合において、光ファイバケーブル１と同様の利点を有する。
【００９１】
また、光ファイバケーブル３では、ピン打ちにより光ファイバケーブル３を固定する場合に、作業者は、エレメント保護部１０１の上面にピン打ちを行う。この場合、エレメント保護部１０１の上面には、光ファイバケーブル１のエレメント保護部１２が上面に有する凸部３１およびピン打ち面３２、および光ファイバケーブル２のエレメント保護部５１が上面に有するピン打ち溝部６１を有していない。したがって、ピン打ちの容易さについては、光ファイバケーブル１，２よりも劣ることになる。
【００９２】
以上の実施の形態において、光ファイバケーブル１〜３は、基本的にピン打ちにて配線対象面（壁面、床面、天井面等）に配線する場合について示している。しかしながら、これに限定されることなく、光ファイバケーブル１〜３は、両面テープ等によっても配線対象面に配線することができる。
【産業上の利用可能性】
【００９３】
本発明は、光ファイバケーブルを配線する場合に、同一の壁面上や同一の床面上において光ファイバケーブルを曲げて配線する場合に利用することができる。
【符号の説明】
【００９４】
１〜３    光ファイバケーブル
１１    エレメント部
１２    エレメント保護部
１３    首部
２１    光ファイバ心線
２２    抗張力体
２３    外被
２４    ノッチ溝
３１    凸部
３２    ピン打ち面
３３    支持線
４１    ピン
４２    壁面（配線面）
４３    ステープル
５１    エレメント保護部
６１    ピン打ち溝部
１０１    エレメント保護部
【図１】
2016057367.tif 000003
【図２】
2016057367.tif 000004
【図３】
2016057367.tif 000005
【図４】
2016057367.tif 000006
【図５】
2016057367.tif 000007
【図６】
2016057367.tif 000008
【図７】
2016057367.tif 000009
【図８】
2016057367.tif 000010
【図９】
2016057367.tif 000011